(57)【特許請求の範囲】
【請求項１】
光源部と、前記光源部から出射された光の配光を制御するレンズと、前記レンズを保持すると共に前記光源部を収容する筐体と、前記光源部への給電を制御する回路部と、を備えた照明装置であって、
前記レンズは、その端部に前記筐体との係合に用いられる係合部を有し、
前記筐体は、前記回路部を覆うように設けられた第１の枠体と、前記光源部を保持する第２の枠体と、を有し、
前記第１の枠体は、前記係合部と係合して透光性材料により構成された保持部と、前記保持部と連続して設けられ該保持部を介して前記レンズから伝播してきた光を導光して外部に出射する導光部と、を有することを特徴とする照明装置。
【請求項２】
前記保持部は、前記係合部と光学的に接続されていることを特徴とする請求項１に記載の照明装置。
【請求項３】
前記レンズ及び前記導光部を覆うように設けられ光を拡散する拡散部材を更に備え、
前記拡散部材は、前記レンズとの間に空隙を設けた状態で前記導光部と光学的に接続されていることを特徴とする請求項１又は請求項２に記載の照明装置。
【請求項４】
前記レンズ及び前記筐体は、共に長尺状に形成され、
前記係合部及び前記保持部は、前記レンズ及び前記筐体の長手方向に伸びる辺に沿って設けられていることを特徴とする請求項１乃至請求項３のいずれか一項に記載の照明装置。
【請求項５】
前記照明装置の短手方向における断面において、
前記係合部は、平板状に形成され、
前記保持部は、前記係合部を挟持するように開口したＣ字状に形成され、
前記レンズは、その長手方向に沿って前記筐体にスライド装着されることを特徴とする請求項４に記載の照明装置。
【請求項６】
前記レンズは、その短手方向に沿って分割可能であることを特徴とする請求項４又は請求項５に記載の照明装置。
【請求項７】
請求項１乃至請求項６のいずれか一項に記載された照明装置を備えたことを特徴とする乗物。
【発明の詳細な説明】
【技術分野】
【０００１】
本発明は、ＬＥＤを光源とする照明装置に関する。
【背景技術】
【０００２】
ＬＥＤは、低電力で高輝度の発光が可能であり、しかも長寿命であることから、白熱灯や蛍光灯に代わる光源として注目されている。このようなＬＥＤを光源とする照明装置として、列状に配置された複数のＬＥＤを有するＬＥＤ実装部（光源部）と、この光源部の両側に配置され該光源部への給電を制御する回路部と、を備えたものが知られている（例えば、特許文献１参照）。
【先行技術文献】
【特許文献】
【０００３】
【特許文献１】特開２０１３−１１８１６９号公報
【発明の概要】
【発明が解決しようとする課題】
【０００４】
しかしながら、上述したような照明装置では、光源部の両側にＬＥＤが設けられていない領域があるので、これらの領域が装置を発光面側から見たときに暗くなる。
【０００５】
本発明は、上記課題を解決するものであって、照明装置を発光面側から見たときに、光源部が設けられていない領域が暗くなるのを防止することができる照明装置を提供することを目的とする。
【課題を解決するための手段】
【０００６】
本発明の照明装置は、光源部と、前記光源部から出射された光の配光を制御するレンズと、前記レンズを保持すると共に前記光源部を収容する筐体と、前記光源部への給電を制御する回路部と、を備え、前記レンズは、その端部に前記筐体との係合に用いられる係合部を有し、前記筐体は、前記回路部を覆うように設けられた第１の枠体と、前記光源部を保持する第２の枠体と、を有し、前記第１の枠体は、前記係合部と係合して透光性材料により構成された保持部と、前記保持部と連続して設けられ該保持部を介して前記レンズから伝播してきた光を導光して外部に出射する導光部と、を有することを特徴とする。
【０００７】
本発明の乗物は、上記照明装置を備えたことを特徴とする。
【発明の効果】
【０００８】
本発明によれば、筐体に設けられた導光部からも光が外部に出射するので、照明装置を発光面側から見たときに、光源部が設けられていない領域が暗くなるのを防止することができる。
【図面の簡単な説明】
【０００９】
【図１】本発明の一実施形態に係る照明装置が設けられた航空機の断面図。
【図２】上記照明装置の斜視図。
【図３】上記照明装置の短手方向における断面図。
【発明を実施するための形態】
【００１０】
本発明の一実施形態に係る照明装置について図面を参照して説明する。図１に示すように、照明装置１は、例えば、航空機ＡＰのキャビンＣＡにおいて乗客用通路Ｐに沿って収納棚ＯＢの上端部に取り付けられ、主として天井Ｃを照明するものである（照明装置１から出射される光を破線矢印で示す）。
【００１１】
図２に示すように、照明装置１は、光源部２と、光源部２に相対して設けられたレンズ３と、レンズ３を保持すると共に光源部２を収容する筐体４と、レンズ３を覆うようにして筐体４に取り付けられ光を拡散する拡散部材５と、を備える。
【００１２】
光源部２は、一列に配置された複数の光源ユニット６を有する。光源ユニット６の各々は、光源として互いに異なる色の光を発する複数のＬＥＤ７を有し、図例では、赤色光を発する赤色ＬＥＤ７Ｒと、緑色光を発する緑色ＬＥＤ７Ｇと、青色光を発する青色ＬＥＤ７Ｂと、白色光を発する白色ＬＥＤ７Ｗと、を有する。これらＬＥＤ７は、各々の光源ユニット６において、ＬＥＤ７Ｒ、ＬＥＤ７Ｇ、ＬＥＤ７Ｂ、ＬＥＤ７Ｗの順に一列に配置されている。ＬＥＤ７Ｒ、ＬＥＤ７Ｇ、ＬＥＤ７Ｂ、ＬＥＤ７Ｗは、それぞれ回路部２２（後述する図３参照）に接続され、互いに独立して調光制御される。これにより、光源ユニット６は、種々の色温度の光を出射することができる。
【００１３】
レンズ３は、光源部２から出射された光の配光を制御する。レンズ３は、平面視において光源部２を一括して覆う長尺矩形状に形成され、その短手方向に沿って分割可能に構成されている。このようにレンズ３を分割可能とすることで、例えば、筐体４の長さを変更した場合でも、適宜にレンズ３を分割して対応することができる。レンズ３は、軽量な透光性材料、例えば、ポリカーボネート樹脂やアクリル樹脂により構成される。
【００１４】
筐体４は、断面視四角形状の長尺な枠体４１と、枠体４１の長手方向両端部を封止する一対の平板状の側壁４２と、枠体４１の一面の一部に長手方向に亘って設けられた開口４３と、を有する。光源部２は、開口４３と相対するようにして筐体４内に収容され、レンズ３は、開口４３を塞ぐようにして筐体４に保持されている。側壁４２は、アルミニウム、銅、鉄、ＰＢＴ（ポリブチレンテレフタレート）樹脂、ポリカーボネート樹脂、セラミック等の剛性及び放熱性に優れた材料、又は透光性材料により構成される。側壁４２を透光性材料により構成した場合には、照明装置１の長手方向両端部からも光を出射することができる。
【００１５】
拡散部材５は、矩形平板状に形成され、筐体４のレンズ３が装着された面を覆うようにして筐体４に取り付けられている。拡散部材５は、例えば、乳白色の透光性樹脂や光を拡散する拡散剤を内含した透光性樹脂により構成される。拡散部材５を構成する材料の屈折率は、後述する接着剤８の屈折率と略同じ、又は接着剤８の屈折率よりも大きくなるように構成される。
【００１６】
図３に示すように、光源部２は、ＬＥＤ７を実装する配線基板２１と、ＬＥＤ７への給電を制御する回路部２２と、配線基板２１と筐体４とを絶縁する絶縁シート２３と、を更に有する。配線基板２１は、その一面にＬＥＤ７の光軸Ａｘが配線基板２１に対して直交するようにしてＬＥＤ７を実装している。回路部２２は、配線基板２１のＬＥＤ実装面においてＬＥＤ７に隣接して配置されている。配線基板２１のＬＥＤ実装面には、白色塗装等の高反射処理が施されている。絶縁シート２３は、配線基板２１のＬＥＤ実装面とは反対側の面と筐体４との間に配置されている。
【００１７】
レンズ３は、平板状のフレネルレンズにより構成され、その短手方向における両端部に筐体４との係合に用いられる一対の係合部３１、３２を有する。フレネルレンズは、その光軸がＬＥＤ７の光軸Ａｘと一致するようにして配置されている。係合部３１、３２は、レンズ３の長手方向（図３において紙面手前側から奥側に向かう方向）に伸びる辺に沿って設けられ、光軸Ａｘと直交する方向に伸びる平板状に形成されている。レンズ３は、透明アクリル樹脂や透明ポリカーボネート樹脂等の透光性樹脂により構成される。
【００１８】
枠体４１は、回路部２２を覆うように設けられた第１の枠体４４と、光源部２を保持する第２の枠体４５と、を有する。第１の枠体４４は、レンズ３と同様な透光性材料により構成され、係合部３１と係合してレンズ３の保持に用いられる保持部４６と、保持部４６と連続して設けられ保持部４６を介してレンズ３から伝播してきた光を導光して外部に出射する導光部４７と、を有する。保持部４６は、照明装置１の短手方向における断面において、係合部３１を挟持するように開口した略Ｃ字状に形成されている。
【００１９】
保持部４６は、透光性の接着剤８を介して係合部３１と光学的に接続されている。第１の枠体４４、接着剤８及び係合部３１の各々を構成する材料の屈折率は、互いに略同じ、又は第１の枠体４４、接着剤８、係合部３１の順に小さくなるように構成される。このようにすることで、第１の枠体４４と接着剤８との間及び接着剤８と係合部３１との間における光の全反射を抑制することができる。
【００２０】
第２の枠体４５は、係合部３２と係合する保持部４８を有する。保持部４８は、保持部４６と同様に形成され、保持部４６、４８に係合部３１、３２がスライド挿入されることで、レンズ３は、その長手方向に沿って枠体４１にスライド装着される。これにより、レンズ３を枠体４１及びＬＥＤ７に対して所定位置で簡単に取り付けることができる。第２の枠体４５は、例えば、アルミニウムのような剛性及び放熱性に優れた材料により構成され、ＬＥＤ７や回路部２２で生じた熱を配線基板２１及び絶縁シート２３を介して外部に放熱する。
【００２１】
拡散部材５は、レンズ３との間に空隙Ｓを設けた状態で、接着剤８を介して第１の枠体４４（導光部４７）及び第２の枠体４５と接着されている。このようにすることで、照明装置１を拡散部材５側から見たときに、レンズ３と第１の枠体４４及び第２の枠体４５との境界を見え難くして、照明装置１の見栄えを良くすることができる。また、拡散部材５が、接着剤８を介して導光部４７と光学的に接続されているので、拡散部材５と接着剤８との間における光の全反射を抑制することができる。
【００２２】
ここで、レンズ３は、ＬＥＤ７に比較的近接しており、ＬＥＤ７の点消灯に伴う温度変化の影響を受け易い。一方、拡散部材５は、レンズ３ほどＬＥＤ７に近接しておらず、且つ外界に接していて放熱が効率良く行われるので、ＬＥＤ７の点消灯に伴う温度変化の影響を受け難い。そのため、空隙Ｓを設けてレンズ３が直接に拡散部材５に接着されないようにすることで、レンズ３と拡散部材５との間の熱膨張差又は熱収縮差に起因する応力で、これらレンズ３及び拡散部材５が破損するのを防止することができる。
【００２３】
上記のように構成された照明装置１においてＬＥＤ７を点灯すると、ＬＥＤ７から出射された光の多くは、レンズ３により光軸Ａｘ方向に屈折された後、拡散部材５において種々の方向に拡散されて外部へ照射される。このとき、レンズ３内を係合部３１の方に導光された光（破線矢印で示す）は、接着剤８を介して導光部４７に入射し、導光部４７内を導光されつつ外部へ出射する。また、ＬＥＤ７から出射して直接に第１の枠体４４に入射した光も、導光部４７内を導光されて外部へ出射する。
【００２４】
上述のように、本実施形態の照明装置１によれば、筐体４が、レンズ３から伝播してきた光を導光して外部に出射する導光部４７を有する。そのため、照明装置１を拡散部材５側から見たときに、回路部２２が設けられＬＥＤ７が設けられていない領域が暗くなるのを防止することができる。
【００２５】
なお、本発明に係る照明装置は、上記実施形態に限定されず種々の変形が可能である。例えば、照明装置は、必ずしも拡散部材を備える必要はなく、レンズ及び筐体の導光部から直接に外部へ光を出射する構成とされてもよい。また、第２の枠体を第１の枠体と同様の透光性材料により構成し、第１の枠体及び第２の枠体の両方から光が出射する構成としてもよい。また、光源部を構成する光源は、ＬＥＤに限定されず、例えば、直管型蛍光灯であってもよい。また、本照明装置が設置される乗物は、航空機に限定されず、例えば、電車やバスであってもよい。
【符号の説明】
【００２６】
１  照明装置
２  光源部
３  レンズ
３１、３２  係合部
４  筐体
４６、４８  保持部
４７  導光部
５  拡散部材
ＡＰ  航空機（乗物）
Ｓ  空隙
【図１】
0006384719.tif 000002
【図２】
0006384719.tif 000003
【図３】
0006384719.tif 000004